(57)【要約】    【課題】      スケジュールデータが存在しない時間帯、スケジュールを実行した結果、映像表示されない場合であっても、制御スケジュールに切り替えて任意の制御を行うことができるようにすること。    【解決手段】  映像表示装置１００のＨＤＤ１０４に、処理内容と実行時間帯とを定めたスケジュールで構成されるスケジュール情報及びスケジュール実行時に発生するイベント毎に実行時間帯を区切って処理内容を定めた制御スケジュールで構成される制御スケジュール情報を記憶する。ＣＰＵ１０１がＨＤＤ１０４から現在時刻に対するスケジュールを読み出して実行すると共にイベント発生時にはＨＤＤ１０４から当該発生時刻に対応する制御スケジュールを読み出して実行する。  【選択図】      図１
2005073062.tif 000002
【特許請求の範囲】
【請求項１】
処理内容と実行時間帯とを定めたスケジュールで構成されるスケジュール情報及びスケジュール実行時に発生するイベント毎に実行時間帯を区切って処理内容を定めた制御スケジュールで構成される制御スケジュール情報を記憶した記憶手段と、前記記憶手段から現在時刻に対するスケジュールを読み出して実行すると共にイベント発生時には前記記憶手段から当該発生時刻に対応する制御スケジュールを読み出して実行する制御手段と、を備えたスケジュール管理装置。
【請求項２】
前記制御手段は、実行すべき制御スケジュールの終了時刻がイベント発生スケジュールの終了時刻よりも遅い場合、制御スケジュールの終了時刻をイベント発生スケジュールの終了時刻に合わせる時間調整を行うことを特徴とする請求項１記載のスケジュール管理装置。
【請求項３】
前記スケジュールの処理内容は、動画の表示、ＷＥＢ画面の表示、静止画の表示のいずれかであることを特徴とする請求項１又は請求項２記載のスケジュール管理装置。
【請求項４】
前記イベントは、スケジュール情報に現在時刻に対応するスケジュールが存在しないことを意味するスケジュールなしが含まれることを特徴とする請求項１から請求項３のいずれかに記載のスケジュール管理装置。
【請求項５】
前記イベントは、表示装置に画像を表示できないことを意味する表示失敗、表示データがないことを意味する表示データなしのいずれかが含まれることを特徴とする請求項１から請求項３のいずれかに記載のスケジュール管理装置。
【請求項６】
処理内容と実行時間帯とを定めたスケジュールで構成されるスケジュール情報から現在時刻に対するスケジュールを取り出し、当該スケジュール実行時に異常が発生した場合、スケジュール実行時に発生するイベント毎に実行時間帯を区切って処理内容を定めた制御スケジュールで構成される制御スケジュール情報から異常発生時刻に対応した制御スケジュールを取り出して実行するスケジュール管理方法。
【請求項７】
処理内容と実行時間帯とを定めたスケジュールで構成されるスケジュール情報から現在時刻に対するスケジュールを検索し、該当スケジュールが登録されていない場合、スケジュール実行時に発生するイベント毎に実行時間帯を区切って処理内容を定めた制御スケジュールで構成される制御スケジュール情報からスケジュール検索時刻に対応した制御スケジュールを取り出して実行するスケジュール管理方法。
【請求項８】
実行すべき制御スケジュールの終了時刻がイベント発生スケジュールの終了時刻よりも遅い場合、制御スケジュールの終了時刻をイベント発生スケジュールの終了時刻に合わせる時間調整を行うことを特徴とする請求項６又は請求項７記載のスケジュール管理方法。
【発明の詳細な説明】
【技術分野】
【０００１】
本発明は、マルチメディアデータを再生等するスケジュールデータのスケジュール管理装置及びスケジュール管理方法に関する。
【背景技術】
【０００２】
現在、サーバから端末へマルチメディアデータを配信するシステムが開発されている。このシステムは、映像表示やコマンドの実行等の処理内容を時間にしたがって定めたスケジュールを端末へ配信する。端末において、スケジュールに基づいて自動的にマルチメディアデータを表示する。なお、ネットワークを使って放送コンテンツを配信するシステムにおいて、広告を任意の条件下で自動的且つ効率的に視聴者へ配信するシステムがある（特許文献１参照）。かかる配信システムでは、予め配信時間帯、配信頻度が指定されている広告に対して、配信タイムスケジュールを予め作成しておき、この配信タイムスケジュールにしたがって広告を配信している。
【特許文献１】特開２００１−２３６４４４号公報
【発明の開示】
【発明が解決しようとする課題】
【０００３】
しかしながら、映像表示やコマンド実行等が予定されていない時間帯（スケジュールの隙間）にはスケジュールデータが存在しないので、スケジュールデータに基づいた表示制御等を端末に対して行うことができなかった。また、スケジュールを実行した結果、何らかの原因（外部接続失敗、表示データ不存在など）で映像表示されない場合、エラー表示や不表示等の他に積極的な制御を行うことができなかった。
【０００４】
本発明は以上のような実情に鑑みてなされたもので、スケジュールデータが存在しない時間帯、スケジュールを実行した結果、映像表示されない場合であっても、制御スケジュールに切り替えて任意の制御を行うことができるスケジュール管理装置及びスケジュール管理方法を提供することを目的とする。
【課題を解決するための手段】
【０００５】
本発明は、処理内容と実行時間帯とを定めたスケジュールで構成されるスケジュール情報及びスケジュール実行時に発生するイベント毎に実行時間帯を区切って処理内容を定めた制御スケジュールで構成される制御スケジュール情報を記憶した記憶手段と、前記記憶手段から現在時刻に対するスケジュールを読み出して実行すると共にイベント発生時には前記記憶手段から当該発生時刻に対応する制御スケジュールを読み出して実行する制御手段と、を備えたスケジュール管理装置である。
【０００６】
このように構成された本発明によれば、スケジュール実行時にイベントが発生した場合には制御スケジュールに切り替えて制御されるので、スケジュールデータが存在しない、スケジュールを実行した結果映像表示されない等のイベント発生時であっても、制御スケジュールに切り替えて任意の制御を行うことができる。
【０００７】
本発明は、上記スケジュール管理装置において、前記制御手段は、実行すべき制御スケジュールの終了時刻がイベント発生スケジュールの終了時刻よりも遅い場合、制御スケジュールの終了時刻をイベント発生スケジュールの終了時刻に合わせる時間調整を行うものとした。
【０００８】
これにより、実行すべき制御スケジュールの終了時刻がイベント発生スケジュールの終了時刻よりも遅い場合には、制御スケジュールの終了時刻をイベント発生スケジュールの終了時刻に合わせるので、異常のあったスケジュールの実行時間帯では制御スケジュールが実行されるが、次スケジュールの開始時間になると次スケジュールが実行されるものとなり、スケジュールと制御スケジュールの開始−終了時間を合わせなくても、制御スケジュールを適切な時間だけ実行させることができる。
【発明の効果】
【０００９】
本発明は、ススケジュールデータが存在しない時間帯、スケジュールを実行した結果、映像表示されない場合であっても、制御スケジュールに切り替えて所望の制御を行うことができるスケジュール管理装置並びにスケジュール管理方法を提供できる。
【発明を実施するための最良の形態】
【００１０】
以下、本発明の一実施の形態について図面を参照して説明する。
【００１１】
図１は本実施の形態にかかるスケジュール再生システムのシステム構成図である。映像表示装置１００がスケジュール再生装置を構成し、当該映像表示装置１００に対して表示装置２００を接続している。映像表示装置１００はスケジュールを実行して表示装置２００に映像を表示する。
【００１２】
映像表示装置１００にＬＡＮ５００を経由してスケジュール作成装置３００を接続している。スケジュール作成装置３００は、映像表示装置１００に与えるスケジュール及び制御スケジュールを作成する。
【００１３】
映像表示装置１００に対してパラレルインターフェース及びシリアルインターフェースを介して外部装置（１）４００を接続可能に構成している。また、映像表示装置１００に対してＬＡＮ５００を介してＷＥＢサーバ６００，ストリーミングサーバ７００，外部装置（２）８００、外部サーバ９００を接続可能にしている。ネットワーク構成はスケジュールコンテンツの提供形態により適宜変更可能であり、上記サーバを全て備えなければならないわけではなく、また他のタイプのサーバを備えてコンテンツ提供できるように構成することもできる。
【００１４】
映像表示装置１００は、プログラムを実行するＣＰＵ１０１を備え、さらに記憶媒体としてＲＡＭ１０２、ＲＯＭ１０３、ＨＤＤ１０４を備える。また、映像表示装置１００はＬＡＮ５００に接続するためのＬＡＮインターフェース１０５を備え、表示装置２００に接続するための映像表示映像出力端子１０６を備える。さらに、外部装置（１）４００に接続するためのシリアルインターフェース１０７並びにパラレルインターフェース１０８／１０９を備える。ＵＳＢ等の他のインターフェースを備えることもできる。符号１１０は現在時刻を通知するリアルタイムクロック（ＲＴＣ）である。
【００１５】
スケジュール作成装置３００は、本来のスケジュールで構成されるスケジュールファイル３０１と制御スケジュールデータで構成される制御スケジュールファイル３０２を保持している。また、映像表示の対象となるマルチメディアデータを構成するマルチメディアファイル３０４を蓄積する。スケジュール作成装置３００は、ＬＡＮ５００に接続するためのＬＡＮインターフェース３０３を備える。
【００１６】
ＷＥＢサーバ６００，ストリーミングサーバ７００、外部装置（２）８００、外部サーバ９００は、外部からネットワーク経由でマルチメディアデータを供給する供給源である。
【００１７】
ここで、スケジュールファイル３０１と制御スケジュールファイル３０２の内容について具体的に説明する。
【００１８】
図２はスケジュールファイル３０１の構成を示している。スケジュールファイル３０１は、時系列で配列した複数のスケジュールからなるスケジュールテーブルで構成している。個々のスケジュールは、処理機能（Ｄ０１）、開始時間（Ｄ０２）、終了時間（Ｄ０３）、処理内容（Ｄ０４）で構成している。処理機能（Ｄ０１）は、処理内容（Ｄ０４）を実行する上で必要になる機能を定義している。例えば、コマンド実行、動画再生、ストリーミング再生、ＷＥＢデータの表示、静止画表示などである。開始時間（Ｄ０２）並びに終了時間（Ｄ０３）は処理内容（Ｄ０４）のタイムスケジュールを定めている。具体的には、現在時刻が９時００分から１０時００分の間であれば、「映像表示装置１００に記録された動画”ＢＢＢ”をＮ回表示させる」といった作業予定が組まれている。図２に示す例では、８時５５分から１７時００分までの間の作業予定を定めており、１１時００分から１２時００分までの間並びに１７時００分から８時５５分までの間はスケジュールが存在しないスケジュールなしの状態となっている。
【００１９】
図３は制御スケジュールファイル３０２の構成を示している。制御スケジュールファイル３０２は、複数の制御スケジュールからなる制御スケジュールテーブルで構成している。図２のスケジュールテーブルと異なる点は、制御スケジュールの種別（制御条件）毎に、独立して開始−終了時間を定めている点である。個々の制御スケジュールは、制御条件（Ｄ０５）、開始時間（Ｄ０６）、終了時間（Ｄ０７）、処理機能（Ｄ０８）、処理内容（Ｄ０９）で構成している。制御条件（Ｄ０５）は、図２の個々のスケジュールを実行した結果又は実行しようとした際に予想されるイベント（主に不具合・異常であるが、これに限定されない）からなる。同図には、スケジュールなし、表示失敗、表示データなし、をイベントとして例示している。１つのイベント種別に関して任意の期間（図３では２４時間）を割り当て、全体期間（２４時間）を任意の区間で分割する。そのイベントがどの分割区間で発生したかに応じて、同一イベントでありながら個別に任意の内容の制御が可能になるようにしている。
【００２０】
具体的には、”スケジュールなし”というイベントに対して０時００分から２４時００分の期間を割り当て、当該全期間を０時００分から２１時００分と、２１時００分から２４時００分の２つの区間に分割している。そして、前半の区間には動画ＢＢＢを表示するといった制御スケジュールを割り当て、後半の区間には装置の映像表示を停止すると言った制御スケジュールを割り当てている。
【００２１】
また、図２に示すスケジュールテーブルでは、１１時００分から１２時００分までの間並びに１７時００分から８時５５分までの間はスケジュールが存在しないが、スケジュールが存在しない時刻になると”スケジュールなし”のイベントが発生する。このときは、制御スケジュールテーブルに定めた制御条件＝”スケジュールなし”の制御スケジュールを実行する。すなわち、スケジュールテーブル上でスケジュールの定められていない区間では制御スケジュールテーブルに切り替えて積極的に任意の制御を行うことができる仕組みにしている。
【００２２】
なお、時刻の設定は年月日時分秒、月日時分秒、日時分秒、時分秒、のように任意に設定可能である。また、上記例ではスケジュールファイル３０１と制御スケジュールファイル３０２の２ファイルで構成しているが、１つのファイルで構成して情報区分にて区別するように構成しても良い。
【００２３】
次に、以上のように構成された本実施の形態の動作について説明する。
【００２４】
最初に、図４を参照して、スケジュール作成装置３００に記録保存されたスケジュールファイル３０１等を、映像表示装置１００に記録保存する動作について説明する。
【００２５】
スケジュール作成装置３００に保存されているスケジュールファイル３０１、制御スケジュールファイル３０２を、ＬＡＮ５００経由で映像表示装置１００へ送り込む。映像表示装置１００は、ＬＡＮ５００経由で受信したファイルデータをＲＡＭ１０２又はＨＤＤ１０４へ記録保存する。本例ではＨＤＤ１０４へ記録保存するものとする。また、マルチメディアデータファイル３０４はスケジュール作成装置３００や外部サーバ９００などに存在する。映像表示装置１００に蓄積して使用するマルチメディアデータファイル３０４はＬＡＮ５００経由で映像表示装置１００へ送り込む。映像表示装置１００は、ＬＡＮ５００経由で受信したマルチメディアデータファイル３０４を例えばＨＤＤ１０４へ記録保存する。
【００２６】
図５は映像表示装置１００がスケジュールファイル３０１又は制御スケジュールファイル３０２にしたがってスケジュールを実行する動作を示している。映像表示装置１００は、装置内部に記憶したマルチメディアデータファイル３０４の他に、装置外部のサーバ（６００，７００，８００）にリアルタイムでアクセスし必要なマルチメディアデータを読み込んで表示する。
【００２７】
次に、映像表示装置１００の具体的な動作内容について図６から図１２のフロー図を参照して説明する。
【００２８】
映像表示装置１００のＲＯＭ１０３又はＨＤＤ１０４にスケジュール再生機能を実現するためのプログラムを格納している。このプログラムが起動すると（Ｓ０１）、ＲＡＭ１０２上に読み出しているスケジュールファイル３０１のバージョンを確認する（Ｓ０２）。例えば、スケジュール作成装置３００から映像表示装置１００に新しいスケジュールファイルがダウンロードされている場合がある。このような場合、ＨＤＤ１０４から新しいバージョンのスケジュールファイル３０１をＲＡＭ１０２上に読み込み直す（Ｓ０３）。
【００２９】
次に、ＲＴＣ１１０から現在時刻を取得し（Ｓ０４）、図２のスケジュールテーブルから開始−終了時刻（Ｄ０２−Ｄ０３）が、現在時刻を含む最初のスケジュールを検索し、該当スケジュールデータがあれば取得する（Ｓ０５）。該当スケジュールデータが取得できた場合（Ｓ０６）、図７に示すＳ１０の処理を実行する。すなわち、図２のスケジュールテーブルから当該スケジュールの処理内容（Ｄ０４）に定められた処理の実行に必要なデータが存在するか否か確認する（Ｓ１１）。必要なデータが存在しない場合、イベントが発生する。イベントとして発生したエラーをエラー理由として設定する（Ｓ１２）。例えば、図２に示す具体例で説明する。現在時刻が９時００分の場合、装置内に記録された動画ＢＢＢを表示することが処理内容（Ｄ０４）として定められている。このとき、動画ＢＢＢが装置内に記憶されていなければ、”表示データなし”をエラー理由に設定する。
【００３０】
一方、ステップＳ１１の判定で必要データが存在した場合、スケジュールテーブルの該当スケジュールより処理機能（Ｄ０１）、処理内容（Ｄ０４）、開始時刻（Ｄ０２）、終了時刻（Ｄ０３）を取得する（Ｓ１３）。そして、ステップＳ１３で取得したスケジュールデータを指定して再生処理を呼び出す（Ｓ１４）。再生処理がスケジュールの実行に相当するが、詳細は後述する。
【００３１】
再生処理が正常終了したか否か判定し（Ｓ１５）、正常終了していなければイベントが発生することになる。イベントとして発生したエラーをエラー理由として設定する（Ｓ１６）。例えば、図２に示す具体例で説明する。現在時刻が９時００分の場合、処理内容（Ｄ０４）である装置内に記録された動画ＢＢＢの表示を行おうとしたところ、表示できなかったケースが考えられる。この場合、”表示失敗”をエラー理由に設定する。他のエラー理由としては、通信エラー、接続拒否、データ異常、指定誤り等があり、任意に設定可能である。
【００３２】
再生処理が正常終了した場合、次の処理を選択し（Ｓ１７）、ステップＳ０２へ戻り次のスケジュールの実行準備に移行する。
【００３３】
次に、スケジュールを実行した結果又は実行しようとした結果、”表示データなし”等のイベントが発生した場合の動作について図８、図９を参照して説明する。図８に示すように、イベント発生時に設定したエラー理由を保存する（Ｓ５０）。映像表示装置１００のＲＯＭ１０３又はＨＤＤ１０４に保存した制御スケジュールファイル３０２をＲＡＭ１０２へ読み込む（Ｓ５１）。ＲＴＣ１１０から現在時刻を取得する（Ｓ５２）。図３に示す制御スケジュールテーブルからエラー理由と同じ制御条件（Ｄ０５）で且つ開始−終了時間（Ｄ０６−Ｄ０７）に現在時刻が含まれる制御スケジュールを検索し、取得する（Ｓ５３）。例えば、現在時刻が９時００分であり、エラー理由が”表示失敗”であれば、処理機能（Ｄ０８）が静止画表示で、処理内容（Ｄ０９）が装置内に記録保存された静止画ＣＣＣを表示する、といった制御スケジュールが検索される。
【００３４】
制御スケジュールテーブルに該当制御スケジュールが存在しなければ（Ｓ５４）、現在処理すべき処理はないと判断して（Ｓ５５）、ステップＳ０２へ戻る。
【００３５】
一方、制御スケジュールテーブルから該当制御スケジュールを検索できた場合、図９に示すＳ６０の処理を実行する。すなわち、スケジュールテーブルのイベント発生スケジュールから現在時刻が開始時間（Ｄ０２）−終了時間（Ｄ０３）に含まれた最初のスケジュールを取得する（Ｓ６１）。スケジュールなしの時間帯でなければ該当データ存在する。
【００３６】
ここで、図２のスケジュールテーブルと図３の制御スケジュールテーブルとを対比すると明らかなように、あるスケジュールの開始−終了時間と、そのスケジュールが正常に実行できなかった場合に実行する制御スケジュールの開始−終了時間とは必ずしも一致していない。具体的には、図３に示すように”表示失敗”であれば９時００分から２４時００分の間を４区間に分割しているが、図２のスケジュールにおいて表示失敗のイベントが発生しうる処理内容の開始−終了時間は上記４区分とは一致していない。
【００３７】
そのため、制御スケジュールの開始−終了時間を適切な値に合わせ込む調整作業が必要になる。例えば、イベント発生したスケジュールの終了時間（Ｄ０３）が対応する制御スケジュールの終了時間（Ｄ０７）よりも早い場合、制御スケジュールの終了時間をイベント発生したスケジュールの終了時間まで短縮する。イベント発生したスケジュールの終了時間を経過しても制御スケジュールが終了しない場合、次のスケジュールは正常に実行できるにも拘わらず、制御スケジュールが終了しないために次スケジュールを実行できないといった不具合が生じる。そこで、以下のような時間調整を行う。
【００３８】
ステップＳ６１で検索したスケジュールのデータを取得した場合（Ｓ６２）、ステップＳ５２で取得した現在時刻と、イベント発生した当該スケジュールの開始時間（Ｄ０２）と、ステップＳ５３で検索した制御スケジュールの開始時間（Ｄ０６）とのうちから最大値を得る（Ｓ６６）。また、ステップＳ５３で検索した制御スケジュールの終了時間（Ｄ０７）と、イベント発生した当該スケジュールの終了時間（Ｄ０３）とのうちから最小値を得る（Ｓ６７）。この最大値及び最小値を制御スケジュールの調整後の開始−終了時間として使用する。
【００３９】
次に、ステップＳ５３で検索した制御スケジュールの処理機能（Ｄ０８）、処理内容（Ｄ０９）に、ステップＳ６６，６７で得た最大値を開始時間とし、最小値を終了時間とした制御スケジュールデータを得る（Ｓ６８）。このようにして開始−終了時間を調整した制御スケジュールを指定して再生処理を呼び出す（Ｓ６９）。
【００４０】
また、ステップＳ５２で得た現在時刻が、スケジュールテーブルにスケジュールを設定していない時間帯であれば、ステップＳ６２でデータ取得できない。この場合、ステップＳ５３で検索した制御スケジュールの処理（Ｄ０８，Ｄ０９）に必要なデータが存在するか否かチェックし（Ｓ６３）、データが存在すれば当該制御スケジュールに定めた処理機能（Ｄ０８），処理内容（Ｄ０９）、開始時間（Ｄ０７）、終了時間（Ｄ０８）の値を取得する（Ｓ６４）。この取得した制御スケジュールを指定して再生処理を呼び出す（Ｓ６５）。
【００４１】
次に、スケジュール又は代替スケジュールの再生処理について説明する。図１０から図１２に再生処理のフロー図を示している。再生処理（Ｓ７０）は、前述したステップＳ１４，Ｓ６５，Ｓ６９での呼び出しにより実行される。
【００４２】
先ず、ＲＴＣ１１０から現在時刻を取得し（Ｓ７１）、取得した現在時刻とスケジュール（又は制御スケジュール）の終了時刻とを比較し（Ｓ７２）、現在時刻が終了時刻を越えていれば呼び出し下へ戻る。現在時刻が終了時刻を越えていなければ、処理機能を確認する。処理機能が動画再生ならば（Ｓ７３）、指定された再生条件に従い動画映像を表示装置２００に表示させる（Ｓ７４）。このとき動画映像はＨＤＤ１０４に蓄積されていればそこから読み出す。表示処理が完了すれば呼び出しへ戻る。
【００４３】
また、処理機能が静止画の場合は（Ｓ８１）、指定された再生条件に従い静止画を表示装置２００に表示させる（Ｓ８２）。
【００４４】
また、処理機能がＷＥＢ表示の場合は（Ｓ８３）、指定された再生条件に従いＷＥＢ画面を表示装置２００に表示させる（Ｓ８４）。
【００４５】
また、処理機能がストリーミング再生の場合は（Ｓ８５）、指定された再生条件に従いストリーミング映像を表示装置２００に表示させる（Ｓ８６）。このときストリーミングデータがストリーミングサーバ７００にある場合には、そこからストリーミングデータを取得する。
【００４６】
また、処理機能がコマンド実行の場合は（Ｓ９１）、指定されたプログラムを実行する（Ｓ９２）。このとき起動されるプログラムにより、表示装置２００，外部装置（１）４００，又は外部装置（２）８００の制御を行う。制御内容はプログラムによる。
【００４７】
このような本実施の形態によれば、本来のスケジュールとは別に制御スケジュールを作成し、スケジュールが存在しない場合を含めスケジュール実行で異常が発生した場合に、制御スケジュールに切り替えて対応可能にしたので、スケジュールデータが存在しない時間帯、スケジュールを実行した結果、映像表示されない場合であっても、表示装置２００を任意に制御することができる。この結果、スケジュールを全期間に亘り埋める必要が無くなり、スケジュール作成作業の負担を軽減できる。また、スケジュールデータが存在しなかったり表示失敗が起きたりしたときに、真っ黒な画面や固定画面が表示されるといった不適切な表示を防止できる。
【産業上の利用可能性】
【００４８】
本発明は、スケジュールデータが存在しない時間帯、スケジュールを実行した結果、映像表示されない場合であっても、制御スケジュールに切り替えて任意の制御を行うことができ、マルチメディアデータをスケジュールに基づいて再生等するシステムに適用可能である。
【図面の簡単な説明】
【００４９】
【図１】本発明の一実施の形態にかかるスケジュール再生システムのシステム構成図
【図２】スケジュールファイルのファイル構成図
【図３】制御スケジュールファイルのファイル構成図
【図４】スケジュールファイルを映像表示装置に記録保存する際の動作説明図
【図５】スケジュール再生システムで再生する際の動作説明図
【図６】スケジュールなしのエラー原因を設定するフロー図
【図７】表示データなし並びに表示失敗のエラー原因を設定するフロー図
【図８】制御スケジュールを読み込む処理に関するフロー図
【図９】制御スケジュールの時間調整に関するフロー図
【図１０】動画再生に関するフロー図
【図１１】静止画再生、ＷＥＢ表示、ストリーミング再生に関するフロー図
【図１２】コマンド実行に関するフロー図
【符号の説明】
【００５０】
１００  映像表示装置
１０１  ＣＰＵ
１０２  ＲＡＭ
１０３  ＲＯＭ
１０４  ＨＤＤ
１０５  ＬＡＮインターフェース
１０６  映像出力端子
１０７  シリアルインターフェース
１０８  パラレルインターフェース
２００  表示装置
３００  スケジュール作成装置
３０１  スケジュールファイル
３０２  制御スケジュールファイル
３０４  マルチメディアファイル
４００  外部装置（１）
５００  ＬＡＮ
６００  ＷＥＢサーバ
７００  ストリーミングサーバ
８００  外部装置（２）
９００  外部サーバ
【図１】
2005073062.tif 000003
【図２】
2005073062.tif 000004
【図３】
2005073062.tif 000005
【図４】
2005073062.tif 000006
【図５】
2005073062.tif 000007
【図６】
2005073062.tif 000008
【図７】
2005073062.tif 000009
【図８】
2005073062.tif 000010
【図９】
2005073062.tif 000011
【図１０】
2005073062.tif 000012
【図１１】
2005073062.tif 000013
【図１２】
2005073062.tif 000014